(57)【要約】【課題】サイホン起動が十分に早いものとなる排水ソケットと、この排水ソケットを用いた便器設置構造とを提供する。【解決手段】排水ソケット２０は、排水口４が上方から差し込まれるように上方に向って開口する流入口２１と、該流入口２１に連なるエルボ状部２２と、該エルボ状部２２の末端に連なり、側方に向って開口する流出口２３とを有する。エルボ状部２２の外周側２２ａの内面に流路抵抗部として複数の凹穴２４が設けられている。トラップを介して排水口４から排水ソケット２０内に流れ落ちてきた水の一部がオリフィス板３０の張出部３３に当たる。また、オリフィス板３０を通り抜けてエルボ状部２２内に流入した水が、凹穴２４から抵抗を受ける。このために、エルボ状部２２及びそれよりも上方側の流入口２１や便器排水口４内が水で早期に満水状態となり、この水が流出口２３から流出することによってサイホンが早期に形成される。【選択図】図１
2007332558.tif 000002
【特許請求の範囲】
【請求項１】
便器の下方に向って開放する排水口に装着される排水ソケットであって、
該排水口が上方から挿入されるように上方に向って開口する流入口と、
横引排水管が側方から挿入されるように側方に向って開口する流出口と、
該流入口と流出口とを連通する湾曲したエルボ状部と
を有する排水ソケットにおいて、該エルボ状部の内面のうち該流入口の下方部分に流路抵抗部を設けたことを特徴とする排水ソケット。
【請求項２】
請求項１において、該流路抵抗部は、該エルボ状部の内面から凹陥する凹部又は該エルボ状部の内面から突出する凸部であることを特徴とする排水ソケット。
【請求項３】
請求項１又は２において、該流路抵抗部は、少なくとも前記流入口の軸心線とエルボ状部の内周面との交点の近傍領域に設けられていることを特徴とする排水ソケット。
【請求項４】
便器の排水口と横引排水管とが排水ソケットを介して接続された便器設置構造において、該排水ソケットが請求項１ないし３のいずれか１項に記載の排水ソケットであることを特徴とする便器設置構造。
【発明の詳細な説明】
【技術分野】
【０００１】
本発明は、便器の排水口と横引排水管とを接続する排水ソケットに関する。また、本発明は、この排水ソケットを用いた便器設置構造に関する。
【背景技術】
【０００２】
便器の排水口の排水芯とトイレルーム床面の躯体側排水管の排水芯とがずれている場合、該床面に沿って横引された排水管（横引排水管）を介して排水ソケットと躯体側排水管とを接続するようにしている。このように便器の排水口を排水ソケット及び横引排水管によって躯体側排水管に接続した従来例（特許第２８３０４７６号）について第３図を参照して説明する。
【０００３】
便器（洋風便器）１の便鉢２は、トラップ３を介して排水口４に連通している。この排水口４は円筒形であり、筒軸心方向を略鉛直方向として下方に向って開放している。排水ソケット１０は、該排水口４が上方から差し込まれる流入口１１と、該流入口１１に対しエルボ状部１２を介して連なる流出口１３等を備えている。流入口１１の上部内周面と排水口４の外周面との間はパッキンによって封じられている。
【０００４】
流出口１３に対し、床面Ｆに沿う横引排水管１４が側方から差し込まれている。この横引排水管１４の末端は躯体側排水管１５に接続されている。
【０００５】
フラッシュ時の便鉢洗浄排水がこの排水ソケット１０に流入してきた場合、排水ソケット１０及び排水口４付近が満水状態となり、その後この満水状態の水が流出することによりトラップ３にサイホン排出流が形成される。
【特許文献１】特許第２８３０４７６号
【発明の開示】
【発明が解決しようとする課題】
【０００６】
上記従来の排水ソケット１０にあっては、流入口１１から流れ込んできた水がエルボ状部１２の内周面に沿って速やかに流出口１３へ流出するため、排水ソケット１０内が満水になるまでに時間がかかり、サイホン起動が遅くなったり、サイホン動作が不安定になるおそれがあった。
【０００７】
本発明は、かかる問題点を解決し、横引タイプの排水ソケットにおいてサイホン起動を早期化したり、サイホン動作を安定化させることを目的とする。
【課題を解決するための手段】
【０００８】
本発明の排水ソケットは、便器の下方に向って開放する排水口に装着される排水ソケットであって、該排水口が上方から挿入されるように上方に向って開口する流入口と、横引排水管が側方から挿入されるように側方に向って開口する流出口と、該流入口と流出口とを連通する湾曲したエルボ状部とを有する排水ソケットにおいて、該エルボ状部の内面のうち該流入口の下方部分に流路抵抗部を設けたことを特徴とするものである。
【０００９】
この流路抵抗部としては、具体的には、該エルボ状部の内面から凹陥する凹部又は該エルボ状部の内面から突出する凸部が好適である。
【００１０】
この流路抵抗部としては、少なくとも前記流入口の軸心線とエルボ状部の内周面との交点の近傍領域に設けられていることが望ましい。
【００１１】
本発明の便器設置構造は、かかる本発明の排水ソケットを用いて便器の排水口を横引排水管を介して躯体側排水管に接続したものである。
【発明の効果】
【００１２】
本発明にあっては、エルボ状部の内面のうち流入口の下方部分に流路抵抗部を設けているので、流入口から排水ソケット内に流入（落下）してきた水の流速が減速され、排水ソケット内が早期に満水状態となり、サイホン起動が早期化され、また、サイホン動作が安定化する。
【発明を実施するための最良の形態】
【００１３】
以下、図面を参照して実施の形態について説明する。
【００１４】
第１図（ａ）は実施の形態に係る排水ソケットを示す縦断図面であり、第１図（ｂ）は同（ａ）のＢ−Ｂに沿う断面図、第１図（ｃ）はオリフィス板の縦断図面である。第２図は、この排水ソケットの使用例を示す断面図である。
【００１５】
この排水ソケット２０は、排水口４（第１図では（ｂ）図に２点鎖線にて図示）が上方から差し込まれるように上方に向って開口する流入口２１と、該流入口２１に連なるエルボ状部２２と、該エルボ状部２２の末端に連なり、側方に向って開口する流出口２３とを有する。流入口２１の上部外周には外周筒状部２１ａが設けられ、パッキンが装着可能とされている。
【００１６】
このエルボ状部２２は、その軸心線方向が四分円弧状に湾曲しており、外周側２２ａは円筒形パイプを滑らかに９０°湾曲させた形状となっている。このエルボ状部２２の外周側２２ａの内面に流路抵抗部として複数の凹穴２４が設けられている。
【００１７】
この凹穴２４は、直径が２〜１０ｍｍ程度であり、深さが１〜５ｍｍ程度の略半球状のくぼみである。凹穴２４の配置密度は１〜５ヶ／ｃｍ２程度が好適である。凹穴２４はエルボ状部２２の外周側２２ａの全領域に設けられてもよいが、この実施の形態では、流入口２１の軸心線θと外周側２２ａとの交点ｋの近傍領域に凹穴２４が設けられている。凹穴２４は、少なくともこの交点ｋから半径３５ｍｍの範囲内に設けられることが好ましい。
【００１８】
この外周側２２ａを囲むようにして台座カバー部２６が設けられ、この台座カバー部２６の下端にベース部２７が連なっている。このベース部２７がトイレルームの床面上に設置される。
【００１９】
この実施の形態では、流入口２１の上端から所定距離下位に段部２９が設けられ、この段部２９にオリフィス板３０が係止されている。このオリフィス板３０は、外周側の円環部３１と、該円環部３１の内周端から垂下する短い筒状の環壁部３２と、該環壁部３２の下端に連なる円環状の張出部３３とを有している。該円環部３１は前記段部２３の上面に重なっている。（ａ），（ｂ）図に示される通り、流出口２３側を除いたエルボ状部２２上端内周の大部分において、その内周縁よりも内方へ張出部３３が張り出している。
【００２０】
この実施の形態では、円環部３１よりも環壁部３２の高さΔＨ分だけ下位に前記張出部３３が位置している。このΔＨは３〜１０ｍｍ、特に５〜７ｍｍ程度が好適である。張出部３３の内周縁から環壁部３２までの幅すなわち張出部３３の内径（半径）と外径（半径）との差Ｗは５〜１５ｍｍ、特に８〜１２ｍｍ程度が好適である。
【００２１】
この排水ソケット２０は、第２図のように、便器の排水口４の位置と躯体側排水管１５の位置とがずれている場合に用いられるものであり、流出口２３と躯体側排水管１５とは、床面に沿って横引きされた横引排水管１４を介して接続される。
【００２２】
この排水ソケット２０を用いて便器排水口４を横引排水管１４から躯体側排水管１５に接続した便器設置構造においては、排水口４の下端は、オリフィス板３０よりも若干上位となるように流入口２１内に差し込まれる。
【００２３】
便器の便鉢をフラッシュ洗浄した場合、トラップを介して排水口４から排水ソケット２０内に流れ落ちてきた水の一部がオリフィス板３０の張出部３３に当たる。また、オリフィス板３０を通り抜けてエルボ状部２２内に流入した水が、凹穴２４から抵抗を受ける。このために、エルボ状部２２及びそれよりも上方側の流入口２１や便器排水口４内が水で早期に満水状態となり、この水が流出口２３から流出することによってサイホンが早期に形成される。
【００２４】
この実施の形態では、排水ソケット２０上部の張出部３３の外周に環壁部３２が存在し、且つ段部たる円環部３１よりも張出部３３がΔＨ分だけ低位となっているので、張出部３３に当った水が排水口４の外周側に入り込むことが防止ないし抑制され、排水ソケット２０の流入口２１付近及び排水口４付近が早期に満水になり、サイホンが早期に形成される。
【００２５】
第１図の実施の形態ではオリフィス板３０を用いて張出部３３を形成しているが、張出部を排水ソケットと一体に設けてもよい。
【００２６】
上記実施の形態では、流路抵抗部として凹穴２４を設けているが、凹穴２４の代りに凹条を設けてもよい。この凹条は水の流れる方向と直交する方向すなわち第１図（ａ）の紙面と垂直方向に延在することが好ましい。凹条は深さ１〜５ｍｍ、幅１〜１０ｍｍ、長さ２０〜６０ｍｍ程度であり、１〜５ｍｍ程度の間隔をおいて５〜５０本程度設けられることが好ましい。
【００２７】
本発明では、凹穴や凹条などの凹部の代わりに、凸部を設けてもよい。この凸部はイボ状の突起であってもよく、上記凹条と同様方向に延在する凸条であってもよい。凸部の形状は略半球状であることが好ましいが、これに限定されない。凸部の好ましい大きさは凹穴２４と同様である。凸条の好ましい大きさ及び配置数は凹条と同様である。なお、流路抵抗部としては、固形物が引掛かりにくいことから、図示の凹穴が好適である。
【００２８】
本発明は、第１図の通り、流入口２１直下付近から流出口２３の直近に至るまで、エルボ状部外周側２２ａが滑らかに連続した湾曲面、特に四分円弧状の湾曲面となっている場合に適用するのにきわめて好適である。
【００２９】
上記実施の形態は本発明の一例であり、本発明は図示以外の形態をもとりうる。
【図面の簡単な説明】
【００３０】
【図１】実施の形態に係る排水ソケットを示す断面図である。
【図２】図１の排水ソケットを用いた便器設置構造の断面図である。
【図３】従来例の断面図である。
【符号の説明】
【００３１】
４  排水口
１０，２０  排水ソケット
１１，２１  流入口
１２，２２  エルボ状部
１３，２３  流出口
１４  横引排水管
１５  躯体側排水管
２４  凹穴
３０  オリフィス板
３１  円環部
３２  環壁部
３３  張出部
【図１】
2007332558.tif 000003
【図２】
2007332558.tif 000004
【図３】
2007332558.tif 000005